(57)【要約】【課題】  契約によってある時間帯に回線を他のユーザにも利用できるように、また、各ＮＥで時間帯によって波長変換を行って自由なルート設定を可能にする波長多重伝送システムを提供する。【解決手段】  ある時間帯において、波長λａとλｂがＮＥ２でドロップされ、波長λｃがスルーされており、ＮＥ３では、全ての波長がスルーされていると、ＮＥ１とＮＥ２の間のルートと、ＮＥ２からＮＥ４のルートと、ＮＥ１からＮＥ４へのルートが確立されている。別の時間帯において、ＮＥ１からＮＥ２に波長λａを使用しているユーザと、ＮＥ２からＮＥ４へ波長λｂを使っているユーザがルートを使用しなくなる場合、そして、別のユーザがＮＥ１からＮＥ３と、ＮＥ３からＮＥ４へのルートを使用したい場合、ＮＥ２において、波長λａを波長λｂに変換して、スルーし、ＮＥ３において、波長λｂをドロップ及びアドするようにルートを張りなおす。【選択図】図３
2005286570.tif 000002
【特許請求の範囲】
【請求項１】
複数の波長を波長多重して伝送する、複数の伝送装置が接続された光波長多重伝送システムにおいて、
前記伝送装置は、
各波長の光信号の経路を切り替える切り替え手段と、
光信号の波長を変換する波長変換手段と、
監視制御信号からの情報に基づいて、所定の時間帯において、未使用の経路をつないで所望の経路を形成するように、ある光信号の波長を変換し、経路を切り替えて転送させる制御手段と、
を備えることを特徴とする光波長多重伝送システム。
【請求項２】
前記制御手段は、波長の設定情報を格納するメモリ手段を備えることを特徴とする請求項１に記載の光波長多重伝送システム。
【請求項３】
前記波長の設定情報は、所定の伝送装置から他の全ての伝送装置に送信されることを特徴とする請求項２に記載の光波長多重伝送システム。
【請求項４】
前記波長の設定情報に基づいて、同じく前記メモリ手段に格納されるタイムテーブルに基づいた所定の時間帯がきたら、各伝送装置が自動的に波長の変換及び経路の切り替え処理を行うことを特徴とする請求項２に記載の光波長多重伝送システム。
【請求項５】
前記波長の設定情報に基づいて、所定の伝送装置から送られて来るトリガ信号に従って、各伝送装置が自動的に波長の変換及び経路の切り替え処理を行うことを特徴とする請求項２に記載の光波長多重伝送システム。
【発明の詳細な説明】
【技術分野】
【０００１】
本発明は、光波長多重（ＷＤＭ：Wavelength Division Multiplexing）伝送システムに関する。
【背景技術】
【０００２】
コンピュータを使った通信技術の普及と共に、通信システムが収容しなくてはならないトラフィック量が急激に大きくなっている。このようなトラフィックを収容可能なシステムとして光波長多重伝送システムが知られている。
【０００３】
図１７は、波長多重伝送システムの一般的システム構成例を示す図である。
送信側のＮＥ（Network Equipment）１は、波長λ１からλｎまでの波長を合波するＭＵＸ部１０と、そのＭＵＸ部１０から出力されたＷＤＭ光信号を光増幅するＴＡ（Transmitting Amplifier）部１１と光信号情報・各種ＯＨ（Over Head）情報・装置内情報を伝達するＯＳＣ（Optical Supervisory Channel）部１２で構成され、ＯＳＣ光信号はＴＡ１１の光出力信号と合波されＮＥ１から出力される。ＮＥ２とＮＥ３は、ＯＳＣ光信号の受信及び送信を行うＯＳＣ部１５、１６、全ＮＥからのＷＤＭ光信号を光増幅するＲＡ（Receiving Amplifier）部（不図示）と、その信号の一部を分波して出力したり通過させたり、更に入力光信号を合波させることができるＸＣ（Cross Connect）部１３、１４を備えている。また、ＮＥ４は、ＯＳＣ光信号を受信するＯＳＣ部１７と、その信号を更に光増幅するＲＡ部１８と波長λ１からλｎまでの波長を分波するＤＭＵＸ部１９で構成されている。このシステムの中には、互いに反対側に光波長多重信号を送信する系が組み込まれているが、上記構成で光信号を伝送する方向とは反対側に光信号を伝送する系の構成も同様であるので説明を省略する。
【０００４】
従来の光波長多重システムとして、特許文献１と特許文献２がある。特許文献１においては、優先度の高いユーザの波長パスのトラフィック量が多くなったときに、優先度の低い波長パスを強制的に開放させて波長パスの設定を行う波長多重システムが開示されている。特許文献２においては、使用中の回線に影響を与えることなく、新規に回線を追加することが出来、未使用回線を有効に設定することが可能な光波長多重システムが開示されている。
【特許文献１】特開２００２−１３５３０８号公報
【特許文献２】特開２００３−１７４４３２号公報
【発明の開示】
【発明が解決しようとする課題】
【０００５】
従来の光波長多重システムにおいては、あるユーザが、ある特定の時間帯、もしくは、ある特定の日時において使用しない回線があり、その使用しない時間帯に、その回線を他のユーザに利用してもらおうと考えた場合、波長ごとのルート設定が固定であるため、設定されたルート以外の利用を考えているユーザがいても、利用は不可能であった。
【０００６】
図１８は、従来の問題点を説明する図である。
例えば、図１８のようにＮＥ１からＮＥ２へのλａ（図１８のＡ）と、ＮＥ２からＮＥ４へのλｂ（図１８のＢ）を使用しているユーザが、この波長を使用しない時間帯に、他のユーザがＮＥ１からＮＥ３までのルートとＮＥ３からＮＥ４までのルートを使用したいと考えても、使用できる波長はあるのに利用することが出来ない。
【０００７】
本発明の課題は、契約によってある時間帯に回線を他のユーザにも利用できるように、また、各ＮＥで時間帯によって波長変換を行って自由なルート設定を可能にする波長多重伝送システムを提供することである。
【課題を解決するための手段】
【０００８】
本発明の光波長多重伝送システムは、複数の波長を波長多重して伝送する、複数の伝送装置が接続された光波長多重伝送システムであって、前記伝送装置は、各波長の光信号の経路を切り替える切り替え手段と、光信号の波長を変換する波長変換手段と、監視制御信号からの情報に基づいて、所定の時間帯において、未使用の経路をつないで所望の経路を形成するように、ある光信号の波長を変換し、経路を切り替えて転送させる制御手段とを備えることを特徴とする。
【発明の効果】
【０００９】
本発明によれば、契約によってある時間帯に使用されていない波長が発生した場合、他のユーザにこの波長を割り当て、波長変換することによってルートを形成することによって、他のユーザに使用させることが出来る。従って、ネットワーク資源の有効活用が可能となり、ユーザ自身も時間帯によってネットワーク資源の使用料を契約することができるので、余分な契約料を払わなくて良くなる。
【発明を実施するための最良の形態】
【００１０】
図１は、本発明の実施形態を実現する構成の原理説明図である。
合波ＣＰＬ２５は、波長の異なるＷＤＭ光信号とＯＳＣ光信号を合波するカプラである。Ｅ／Ｏ  Ｍｏｄ２６は電気信号から光信号へ変換するモジュールで、Ｏ／Ｅ  Ｍｏｄ２７は光信号から電気信号へ変換するモジュールである。送受信側のＮＥ１では、波長λ１〜λｎの光信号を入力し、これをＭＵＸ部２８で合波して、波長多重光を生成する。更に、合波ＣＰＬ２５において、ＯＳＣ光信号が合波され、伝送路に送出される。ＯＳＣ光信号は、まず、マネージメント部３２のＯＳＣ処理部において、対応する電気信号が生成される。ＯＳＣ処理部は、メモリに格納される各種情報を元に、電気信号でＯＳＣ信号を生成し、これをＯＳＣ部２９の制御回路に送り、電気信号を光信号に変換するＥ／Ｏ  Ｍｏｄ２６を制御して、ＯＳＣ光信号を生成する。ＯＳＣ光信号は、合波ＣＰＬにおいて、主信号と合波される。また、受信側の分波ＣＰＬ３１は、伝送されてきた光信号からＯＳＣ光信号を分波し、これをＯ／Ｅ  Ｍｏｄ２７に送る。ここで、光信号は電気信号に変換され、ＯＳＣ部３０の制御回路を介して、マネージメント部３２のＯＳＣ処理部に入力される。ＯＳＣ信号は、ここで処理され、メモリに格納された情報から、ＯＳＣ信号に含まれている情報を解析し、新たに送信側からＯＳＣ光信号として送ったり、ＮＥ１の制御に用いたりする。
【００１１】
ＮＥ２は、伝送路途中にある伝送装置である。送信されてきた波長多重光信号は、ＮＥ２に入ると、分波ＣＰＬ４０において、ＯＳＣ光信号が分波される。主信号は、光アンプ５６で増幅された後、ＤＭＵＸ部４９において各波長の光信号に分波され、ＸＣ部５０に入力される。一方、分波ＣＰＬ４０で分波されたＯＳＣ光信号は、ＯＳＣ部４1において、電気信号に変換され、マネージメント部４２に送られる。マネージメント部４２では、ＯＳＣ光信号に含まれている情報を解析し、ＸＣ部５０に送って、光経路の切り替えなどを指示する。ＸＣ部５０はＯＳＣ部４１からの情報をもとに光信号をＡｄｄ／Ｄｒｏｐ／Ｔｈｒｏｕｇｈ／波長変換のいづれかの操作をする機能を持つものである。ＳＷ部５１は、光経路を変更するものであり、ＤＭＵＸ４９から入力された光信号の光パスを切り替えて、Ｄｒｏｐ側に出したり、ＭＵＸ部５３、５４側に出したり、波長変換部５２に入力する。また、ＳＷ部５１は、Ａｄｄ側から入力した光信号や、ＤＭＵＸ部５５から入力された光信号をＭＵＸ部５３、５４に出力したり、波長変換部５２から入力された光信号をＭＵＸ部５３、５４に出力する。ＭＵＸ部５３から出力された光信号は、光アンプ５７で増幅された後、合波ＣＰＬ４５において、ＯＳＣ光信号が合波され、伝送路に送出される。反対側の光伝送系でも同様で、分波ＣＰＬ４８において、ＯＳＣ光信号が分波され、ＯＳＣ部４７で電気信号に変換され、マネージメント部４２で解釈されて、ＸＣ部５０の動作の制御に使用される。分波ＣＰＬ４８から出力された主信号は、光アンプ５８で増幅され、ＤＭＵＸ部５５で各波長の光信号に分波され、ＸＣ部５０に入力される。そして、ＭＵＸ部５４側に出てきた各光信号は、合波され、光アンプ５９で増幅され、合波ＣＰＬ４４でＯＳＣ光信号が合波され、伝送路に送出される。
【００１２】
図２は、本発明の実施形態に従ったＸＣ部の詳細を示す図である。
入力側から来た波長多重光信号は、光アンプ５６において増幅され、ＤＭＵＸ部４９において各波長の光信号に分波される。各分波された光信号は、ＳＷ部５１の分岐部６８に入力される。分岐部６８では、光経路を制御し、Ｄｒｏｐ側に光信号を送ったり、結合部６９に光信号を送ったり、波長変換部５２に光信号を送ったりする。波長変換部５２では、入力された各波長の光信号をＯ／Ｅ変換部６６で電気信号に変換し、切り替え部６５において、出力ポートを切り替え、Ｅ／Ｏ変換部６７において、元の波長とは違う波長の光信号に変換して、結合部６９に入力する。結合部６９では、分岐部６８からの光信号、波長変換部５２からの光信号、Ａｄｄ側からの光信号をＭＵＸ部５３に出力する。ＭＵＸ部５３では、入力された各波長の光信号を合波し、光アンプ５７を介して送出する。
【００１３】
本発明の実施形態では、各ＮＥでの光信号のＡｄｄ／Ｄｒｏｐ／Ｔｈｒｏｕｇｈ／波長変換等の設定情報を、時間ごとに管理し、ＯＳＣ光信号を利用して設定情報をＮＥに送信し、各ＮＥのＸＣ部を制御して波長設定を行うことで、時間帯によって変化する空きルートを自由に設定する。
【００１４】
図３は、本発明の実施形態を説明する図である。
本発明の実施形態においては、図３のように、ある時間帯にＮＥ１からＮＥ２への波長λａの光信号をＮＥ２で波長λｂに波長変換して（図３のＡ）、ＮＥ２からＮＥ３まで波長λｂの光信号を使って伝送する（図３のＣ）。このように、ある時間帯において利用可能な波長の光信号の波長を切り替え、その時間帯だけ、信号を伝送するルートを別のルートに自由に設定できるようにする。このようにすれば、さまざまなルートを一時的に利用したいと希望するユーザにも柔軟に対応できるようになる。
【００１５】
本実施形態では、従来の方法に対して、時間帯によって使用しない波長を他のユーザに開放することで、通信コストの削減が期待でき、また、波長切り替えによってより自由度の高いルート設定が可能になることで、さまざまなルートを希望するユーザにも柔軟に対応することができ、より自由度の高いサービスの提供が可能になる。
【００１６】
図４は、本発明の実施形態に従ったＸＣ部のマネージメント部からの情報に基づく動作の例を示した図である。
マネージメント部からの情報は、分岐部において、各波長の光信号を、Ｔｈｒｏｕｇｈ／Ｄｒｏｐ／変換部のどちら側に分岐させるかを指示する。また、結合部においては、マネージメント部からの情報は、Ｔｈｒｏｕｇｈ／Ａｄｄ／変換部のいずれからのどの波長の光信号を結合するかの指示を行う。また、マネージメント部からの情報は、波長変換部において、Ｏ／Ｅ変換情報としての、どの波長を電気信号に変換するかの情報と、波長変換情報としての、どの波長に対して波長変換を行うか、すなわち、どの入力ポートからの信号をどの出力ポートに出すかの切り替え情報と、Ｅ／Ｏ変換情報としての、どの回線を光信号に変換するかの情報として用いられる。
【００１７】
すなわち、ＸＣ部の切り替えはＯＳＣ部からの情報によって制御される。その情報について説明する。
切り替えは設定された時間Ｔ１においてマネージメント部からＸＣ部に対して回線設定情報が送られることで実現する。回線設定情報はＳＷ部を制御する分岐情報と結合情報、波長変換部を制御するＯ／Ｅ変換情報とＥ／Ｏ変換情報、そして、どの波長に変換するかの変換情報がある。
【００１８】
分岐部は受信した分岐情報にしたがってＤＭＵＸから入力されたλｘを分岐する。Ｔｈｒｏｕｇｈの場合、λｘを結合部へ分岐する。Ｄｒｏｐの場合、λｘをＤｒｏｐ側へ分岐する。波長変換の場合、λｘを波長変換部へ分岐する。
【００１９】
結合部は受信した結合情報に従ってλｘをＭＵＸ部へ送信する。Ｔｈｒｏｕｇｈの場合、分岐部からのλｘを結合する。Ａｄｄの場合、Ａｄｄ側のλｘを結合する。波長変換の場合、波長変換部からのλｘを結合する。
【００２０】
波長変換部は受信したＯ／Ｅ変換情報とＥ／Ｏ変換情報、変換情報に従って入力された波長λｘを別の波長λｙに変換する。分岐部から入力されたλｘはＯ／Ｅ変換部でＯ／Ｅ変換情報に従って電気信号Ｅｘに変換される。変換された電気信号Ｅｘは切り替え部で変換情報にしたがって、光信号λｙに変換するＥ／Ｏ変換部へ切り替える。λｙに変換するＥ／Ｏ変換部に入力された電気信号ＥｘはＥ／Ｏ変換情報に従って光信号λｙに変換され、ＳＷ部へ送られる。
【００２１】
入力側の波長λ１を出力側にＴｈｒｏｕｇｈ、入力側のλ２を出力側のλ３に変換してＴｈｒｏｕｇｈし、出力側の波長λ２をＡｄｄ、入力側のλ４をＤｒｏｐし、出力側にＡｄｄする場合について説明する。
【００２２】
分岐部に分岐情報を送り、その情報に従って、λ１を結合部へ、λ２を変換部側へ、λ４をＤｒｏｐ側へ分岐する。結合部に送り、その情報に従って、分岐部からのλ１と、Ａｄｄ側からのλ２と、変換部側からのλ３と、Ａｄｄ側からのλ４とをＭＵＸ部へ結合する。
【００２３】
波長変換部には、Ｏ／Ｅ変換部にＯ／Ｅ変換情報を送り、λ２を電気信号に変換する。切り替え部に波長変換情報を送り、λ２からの電気信号をλ３に変換するＥ／Ｏ変換部へ送る。Ｅ／Ｏ変換部にＥ／Ｏ変換情報を送り、電気信号を波長λ３の光信号に変換する。
【００２４】
これらの情報を、あらかじめ設定した時間に設定された切り替えを行うように送信することで、時間による切り替え動作を行う。
図５及び図６は、本発明の第１の実施形態を実現するためのシステム構成を示す図である。
【００２５】
各ＮＥに波長変換機能を持ったＸＣ部があり、時間帯Ｔ１においてＮＥ１からＮＥ２まで波長λａを使用しているユーザα１（図５のＡ）と、ＮＥ２からＮＥ４まで波長λｂを使用しているユーザα２（図５のＢ）がある。ユーザα１及びα２が当該波長を使用していない時間帯Ｔ２において、ＮＥ１からＮＥ３までのルートをユーザβ１が使用したいと考えた場合、ＮＥ１からＮＥ３のルートを確保するため、ＮＥ２のＸＣ部でＮＥ１から受信したλａをλｂに波長変換してＮＥ３へ送信する（図６のＡ）。ＮＥ３ではＮＥ２から受信したλｂをＤｒｏｐする（図６のＢ）。ユーザα１とユーザα２が使用する時間Ｔ１時になると、設定を元に戻す。ＮＥ４からＮＥ１への設定も上記と同じである。
【００２６】
図７は、図５及び図６の場合の動作を示すフローチャートである。
以下の処理は、マネージメント部の処理である。
ステップＳ１０において、設定情報を受信したか否かをマネージメント部が判断する。ステップＳ１０において、受信していない場合には、受信するまで待つ。ステップＳ１０において、設定情報が受信されたと判断された場合には、ステップＳ１１において、回線設定を切り替える時間帯Ｔ２になっているか否かを判断する。時間帯Ｔ２になっていない場合には、ステップＳ１２において、もともとの回線設定Ｔ１を設定して処理を終了する。ステップＳ１１において、時間帯Ｔ２になっていると判断された場合には、ステップＳ１３において、回線設定Ｔ２を行ってステップＳ１１に戻り、時間帯Ｔ２が終わるまで、回線設定Ｔ２を維持する。
【００２７】
図８は、本発明の第２の実施形態を実現するためのシステム構成とその説明をする図である。
マネージメントＮＥとして設定されたＮＥ１がＯＳＣ信号を用いて全ＮＥに波長設定命令を送信することにより各ＮＥの波長を一括して設定する。時間Ｔ１においてＮＥ１からＮＥ２まで使用しているユーザα１と、ＮＥ２からＮＥ４まで使用しているユーザα２があり、時間Ｔ２において、ＮＥ１からＮＥ３まで使用するユーザβ１と、ＮＥ３からＮＥ４まで使用するユーザβ２がある場合、時間Ｔ１時に、マネージメントＮＥとして設定されたＮＥ１が、被マネジメントＮＥであるＮＥ２、ＮＥ３に対し回線設定命令Ｔ１（図８のＡ）をＯＳＣ信号を使って送信する。ＮＥ２は受信した設定命令によりλａ、λｂをＡｄｄ／Ｄｒｏｐに設定する（λｃは常時Ｔｈｒｏｕｇｈ）。ＮＥ３は受信した設定命令によりλｂをＴｈｒｏｕｇｈに設定する（λａ、λｃは常時Ｔｈｒｏｕｇｈ）。これにより時間Ｔ１の設定を完了する。次に時間Ｔ２になると、ＮＥ１がＮＥ２、ＮＥ３に対し回線設定命令Ｔ２（図７のＢ）をＯＳＣ信号を使って送信する。ＮＥ２は設定命令により、受信したλａをλｂに波長変換してＮＥ３へ送信する。すなわち、λｂはＤｒｏｐし、Ａｄｄされた波長λａを波長λａからλｂに変換する。ＮＥ３は設定命令によりλｂをＡｄｄ／Ｄｒｏｐに設定する。ＮＥ４からＮＥ１への設定も上記と同じである。
【００２８】
図９は、マネージメントＮＥの処理を説明するフローチャートである。
以下の処理は、マネージメント部の処理である。
ステップＳ１５において、時間待ちをし、ステップＳ１６において、時間Ｔ１が来たと判断された場合には、ステップＳ１７において、回線設定情報Ｔ１を送信し、ステップＳ１８において、設定完了通知が受信されたか否かを判断する。ステップＳ１８において、設定完了通知が受信されていないと判断された場合には、ステップＳ１７に戻って回線設定情報Ｔ１を再送信する。ステップＳ１８において、設定完了通知が受信されたと判断された場合には、処理を終了する。ステップＳ１９において、時間Ｔ２になったと判断された場合には、ステップＳ２０において、回線設定情報Ｔ２を送信し、ステップＳ２１において、設定完了通知が受信されたか否かを判断する。ステップＳ２１において、まだ受信していないと判断された場合には、ステップＳ２０に戻って、回線設定情報Ｔ２を再送する。ステップＳ２１において、設定完了通知を受信したと判断された場合には、処理を終了する。
【００２９】
図１０は、被マネジメントＮＥの処理を説明するフローチャートである。
以下の処理は、マネージメント部の処理である。
ステップＳ２５において、設定情報が受信されたか否かを判断する。ステップＳ２５において、設定情報が受信されていないと判断された場合には、受信されるまで待つ。ステップＳ２５において、設定情報が受信されたと判断された場合には、ステップＳ２6において、回線設定を行い、ステップＳ２７において、設定完了通知を送信し、処理を終了する。
【００３０】
図１１は、本発明の第３の実施形態を実現するためのシステム構成図とその説明図である。
予め各ＮＥに設定情報のタイムテーブルを設定しておく。このタイムテーブルによって各ＮＥが独自に波長設定を行うことにより、各ＮＥの波長を一括して設定する。時間Ｔ１においてＮＥ１からＮＥ２まで使用しているユーザα１と、ＮＥ２からＮＥ４まで使用しているユーザα２があり、時間Ｔ２においてＮＥ１からＮＥ３まで使用するユーザβ１と、ＮＥ３からＮＥ４まで使用するユーザβ２がある場合、時間Ｔ１時に各ＮＥが、設定されたタイムテーブルに従って波長設定を行う。ＮＥ２はタイムテーブル（図１１のＡ）によりλａ、λｂをＡｄｄ／Ｄｒｏｐに、λｃをＴｈｒｏｕｇｈに設定する。ＮＥ３はタイムテーブル（図１１のＢ）によりλａ、λｂ、λｃをＴｈｒｏｕｇｈに設定する。これによりＴ１時の設定を完了する。次に時間Ｔ２時になると各ＮＥが、設定されたタイムテーブルに従って波長設定を行う。ＮＥ２はタイムテーブル（図１１のＡ）により、λａをλｂに波長変換してＮＥ３へ送信し、λｂをＤｒｏｐ、λａをＡｄｄする。ＮＥ３はタイムテーブル（図１１のＢ）によりλｂをＡｄｄ／Ｄｒｏｐ、λａとλｃをＴｈｒｏｕｇｈに設定する。ＮＥ４からＮＥ１への設定も上記と同じである。各ＮＥのタイムテーブルは、ＯＳＣ光信号を使うことで全てのＮＥから設定変更が可能である。
【００３１】
図１２は、第３の実施形態に従った各ＮＥの処理を説明するフローチャートである。
ステップＳ３０において、イベントの発生を待つ。ステップＳ３１にあるように、時間Ｔ１が来たと判断された場合には、ステップＳ３２において、回線設定Ｔ１を行う。ステップＳ３３において、回線設定Ｔ１の完了通知をマネージメントＮＥに送信し、回線設定Ｔ１の完了通知の受信が行われたか否かをステップＳ３４において判断する。ステップＳ３４において、完了通知を受信した場合には、処理を終了し、完了通知を受信しない場合には、アラームを上げる。ステップＳ３５に示すように、時間Ｔ２がきたと判断された場合には、ステップＳ３６において、回線設定Ｔ２を行い、ステップＳ３７において、回線設定Ｔ２の完了通知を送信する。ステップＳ３８において、回線設定Ｔ２の完了通知を受信したか否かが判断され、受信した場合には、処理を終了し、受信していない場合には、アラームを上げる。ステップＳ３９のように、タイムテーブルの書き換え命令が受信された場合には、ステップＳ４０でタイムテーブルを書き換え、ステップＳ３０に戻る。
【００３２】
図１３は、本発明の第４の実施形態を実現するためのシステム構成及び動作を説明する図である。
予め各ＮＥに設定情報のタイムテーブルを設定しておく。マネージメントＮＥとして設定されたＮＥ１がＯＳＣ光信号を用いて全ＮＥに切り替えトリガを送信することにより、各ＮＥがタイムテーブルに従って波長を一括して設定する。時間Ｔ１においてＮＥ１からＮＥ２まで使用しているユーザα１と、ＮＥ２からＮＥ４まで使用しているユーザα２があり、時間Ｔ２においてＮＥ１からＮＥ３まで使用するユーザβ１と、ＮＥ３からＮＥ４まで使用するユーザβ２がある場合、時間Ｔ１にマネージメントＮＥとして設定されたＮＥ１がＯＳＣ光信号を用いて、各ＮＥに切り替えトリガＴＲＧ１を送信し（図１３のＣ）、そのトリガを合図に各ＮＥが、設定されたタイムテーブルに従って波長設定を行う。ＮＥ２はタイムテーブル（図１３のＡ）によりλａ、λｂをＡｄｄ／Ｄｒｏｐに、λｃをＴｈｒｏｕｇｈに設定する。ＮＥ３はタイムテーブル（図１３のＢ）によりλａ、λｂ、λｃをＴｈｒｏｕｇｈに設定する。これにより、時間Ｔ１の設定を完了する。次に時間Ｔ２になるとマネージメントＮＥとして設定されたＮＥ１がＯＳＣ光信号を用いて各ＮＥに切り替えトリガＴＲＧ２を送信し（図１３のＤ）、そのトリガを合図に各ＮＥが、設定されたタイムテーブルに従って波長設定を行う。ＮＥ２はタイムテーブル（図１３のＡ）により、λａをλｂに波長変換してＮＥ３へ送信し、λｂをＤｒｏｐ、λａをＡｄｄする。ＮＥ３はタイムテーブル（図１３のＢ）によりλｂをＡｄｄ／Ｄｒｏｐ、λａをλｃをＴｈｒｏｕｇｈに設定する。ＮＥ４からＮＥ１への設定も上記と同じである。各ＮＥのタイムテーブルはＯＳＣ光信号を使うことで、全てのＮＥから設定変更が可能である。
【００３３】
図１４は、本発明の第４の実施形態に従った各ＮＥの処理を説明するフローチャートである。
ステップＳ４５において、イベントの発生待ちをする。ステップＳ４６のように、トリガＴＲＧＴ１を受信したとすると、ステップＳ４７において、回線設定Ｔ１を行い、ステップＳ４８において、回線設定Ｔ１の完了通知を送信する。ステップＳ４９において、回線設定Ｔ１の完了通知を受けたか否かを判断し、受信していない場合には、アラームを上げ、受信した場合には、処理を終了する。
【００３４】
ステップＳ５０のように、トリガＴＲＧＴ２を受信したと判断された場合には、ステップＳ５１において、回線設定Ｔ２を行い、ステップＳ５２において、回線設定Ｔ２の完了通知を送信し、ステップＳ５３において、回線設定Ｔ２の完了通知を受信したか否かを判断する。受信した場合には、処理を終了し、受信していない場合には、アラームを上げる。ステップＳ５４のように、タイムテーブル書き換え命令を受信したと判断された場合には、ステップＳ５５において、タイムテーブルを書き換え、ステップＳ４５に戻る。
【００３５】
図１５は、ＳＷ部の処理の詳細を示すフローチャートである。
波長λｘの設定を開始すると、ステップＳ６０において、λｘのＴｈｒｏｕｇｈ命令を受信したか否かを判断する。Ｔｈｒｏｕｇｈ命令を受信している場合には、ステップＳ６３において、ＤＭＵＸ側のλｘを結合部へ分岐し、ステップＳ６４において分岐部からのλｘをＭＵＸ側へ結合して処理を終了する。
【００３６】
ステップＳ６０において、Ｔｈｒｏｕｇｈ命令でないと判断された場合には、ステップＳ６１において、ＤＭＵＸ側のλｘのＤｒｏｐ命令を受信したか否かを判断する。ステップＳ６１の判断がＹｅｓの場合には、ステップＳ６５において、ＤＭＵＸ側のλｘをＤｒｏｐ側へ分岐し、ステップＳ６６において、ＭＵＸ側λｘのＡｄｄ命令を受信したか否かを判断する。ステップＳ６６の判断がＹｅｓの場合には、ステップＳ６９において、Ａｄｄ側からのλｘをＭＵＸ側へ結合し、処理を終了する。ステップＳ６６の判断がＮｏの場合には、ステップＳ６７において、ＭＵＸ側λｘへの波長変換命令を受信したか否かを判断し、受信した場合には、ステップＳ７０で、波長変換部からのλｘをＭＵＸ側へ結合し、受信していない場合には、そのまま、処理を終了する。
【００３７】
ステップＳ６１において、Ｄｒｏｐ命令を受信していないと判断された場合には、ステップＳ６２において、ＤＭＵＸ側λｘの波長変換命令を受信したか否かを判断し、ステップＳ６２の判断がＹｅｓの場合、ステップＳ６８において、ＤＭＵＸ側のλｘを波長変換部へ分岐し、ステップＳ６２の判断がＮｏの場合には、そのまま、ステップＳ６６に進む。
【００３８】
図１６は、波長変換部の動作を説明するフローチャートである。
ステップＳ７５において、波長をλｘからλｙに変換する旨の変換命令を受信したか否かを判断する。ステップＳ７６において、分岐部からのλｘを電気信号ＥｘにＯ／Ｅ  Ｍｏｄで変換し、ステップＳ７７において、電気信号Ｅｘをλｙに変換するＥ／Ｏ  Ｍｏｄへ電気経路を切り替え、ステップＳ７８において、電気信号ＥｘをλｙにＥ／Ｏ  Ｍｏｄで変換して処理を終了する。
【図面の簡単な説明】
【００３９】
【図１】本発明の実施形態を実現する構成の原理説明図である。
【図２】本発明の実施形態に従ったＸＣ部の詳細を示す図である。
【図３】本発明の実施形態を説明する図である。
【図４】本発明の実施形態に従ったＸＣ部のマネージメント部からの情報に基づく動作の例を示した図である。
【図５】本発明の第１の実施形態を実現するためのシステム構成を示す図（その１）である。
【図６】本発明の第１の実施形態を実現するためのシステム構成を示す図（その２）である。
【図７】図５及び図６の場合の動作を示すフローチャートである。
【図８】本発明の第２の実施形態を実現するためのシステム構成とその説明をする図である。
【図９】マネージメントＮＥの処理を説明するフローチャートである。
【図１０】被マネジメントＮＥの処理を説明するフローチャートである。
【図１１】本発明の第３の実施形態を実現するためのシステム構成図とその説明図である。
【図１２】第３の実施形態に従った各ＮＥの処理を説明するフローチャートである。
【図１３】本発明の第４の実施形態を実現するためのシステム構成及び動作を説明する図である。
【図１４】本発明の第４の実施形態に従った各ＮＥの処理を説明するフローチャートである。
【図１５】ＳＷ部の処理の詳細を示すフローチャートである。
【図１６】波長変換部の動作を説明するフローチャートである。
【図１７】波長多重伝送システムの一般的システム構成例を示す図である。
【図１８】従来の問題点を説明する図である。
【符号の説明】
【００４０】
２５、４４、４５      合波ＣＰＬ
２８、５３、５４      ＭＵＸ部
２９、３０、４１、４３、４６、４７      ＯＳＣ部
３１、４０、４８      分波ＣＰＬ
３２、４２      マネージメント部
４９、５５      ＤＭＵＸ部
５０      ＸＣ部
５１      ＳＷ部
５２      波長変換部
５６〜５９      光アンプ
【図１】
2005286570.tif 000003
【図２】
2005286570.tif 000004
【図３】
2005286570.tif 000005
【図４】
2005286570.tif 000006
【図５】
2005286570.tif 000007
【図６】
2005286570.tif 000008
【図７】
2005286570.tif 000009
【図８】
2005286570.tif 000010
【図９】
2005286570.tif 000011
【図１０】
2005286570.tif 000012
【図１１】
2005286570.tif 000013
【図１２】
2005286570.tif 000014
【図１３】
2005286570.tif 000015
【図１４】
2005286570.tif 000016
【図１５】
2005286570.tif 000017
【図１６】
2005286570.tif 000018
【図１７】
2005286570.tif 000019
【図１８】
2005286570.tif 000020